(57)【要約】【課題】電力用スイッチング素子を吸入冷媒によって確実かつ十分に冷却する。【解決手段】インバータケース１１の回路収容部１１ｂに露出する仕切壁１１ｄの面１１ｆの当接部１１ｉに電力用スイッチング素子９ｂを当接させ、仕切壁１１ｄの面１１ｅにおける当接部１１ｉの裏側箇所に、吸入ポート１１ｃからの吸入冷媒が通過する吸入冷媒通路１３を設けたそして、吸入冷媒通路１３の逆止弁１５の筒状の弁ケース１５ａの周面に、仕切壁１１ｄの面１１ｅにおける当接部１１ｉの裏側箇所に形成した薄肉部１１ｋに向けて開口部１５ｄを形成した。このため、逆止弁１５の開弁時に吸入ポート１１ｃから弁ケース１５ａに流入して開口部１５ｄを通過した吸入冷媒が、仕切壁１１ｄの面１１ｅの薄肉部１１ｋに吹き付けられるようになる。【選択図】図２
2017008922.tif 000002
【特許請求の範囲】
【請求項１】
冷媒を圧縮する圧縮機構（３）と、
前記圧縮機構（３）を駆動する電動モータ（５）と、
前記圧縮機構（３）及び電動モータ（５）が収容された本体ハウジング（７）と、
前記電動モータ（５）の駆動回路（９）が収容され、仕切壁（１１ｄ）によって前記本体ハウジング（７）と仕切られた回路ハウジング（１１ｂ）と、
前記回路ハウジング（１１ｂ）に露出する前記仕切壁（１１ｄ）の一方の面（１１ｆ）の当接箇所（１１ｉ）に当接された前記駆動回路（９）の発熱部品（９ｂ）と、
前記本体ハウジング（７）に露出する前記仕切壁（１１ｄ）の他方の面（１１ｅ）に設けられ、前記本体ハウジング（７）の外部から内部に吸入される冷媒が通過する吸入冷媒通路（１３）と、
前記吸入冷媒通路（１３）に形成され、通過する冷媒に前記当接箇所（１１ｉ）へ誘導する流れを発生させる開口部（１５ｄ，２１ｃ，２３ｃ，１１ｒ）と、
を備える電動コンプレッサ（１）。
【請求項２】
前記仕切壁（１１ｄ）の他方の面（１１ｅ）における前記当接箇所（１１ｉ）の裏側箇所には薄肉部（１１ｋ）が形成されており、前記開口部（１５ｄ，２１ｃ，２３ｃ）は前記吸入冷媒通路（１３）の前記薄肉部（１１ｋ）に露出する部分に形成されている請求項１記載の電動コンプレッサ（１）。
【請求項３】
前記吸入冷媒通路（１３）に設けられ、前記本体ハウジング（７）の内部から前記吸入冷媒通路（１３）への冷媒の逆流を阻止する逆止弁（１５）をさらに備え、該逆止弁（１５）の弁体（１５ｂ）を移動可能に収容する筒状の弁ケース（１５ａ）の周面に、前記開口部（１５ｄ）が形成されている請求項１又は２記載の電動コンプレッサ（１）。
【請求項４】
前記弁ケース（１５ａ）は、前記仕切壁（１１ｄ）の他方の面（１１ｅ）における前記当接箇所（１１ｉ）の裏側箇所に向けて前記開口部（１５ｄ）が開放される向きに、前記弁ケース（１５ａ）を前記仕切壁（１１ｄ）に対して前記弁ケース（１５ａ）の周方向に位置決めする位置決め部（１９）を有する請求項３記載の電動コンプレッサ（１）。
【請求項５】
前記位置決め部（１９）は、前記仕切壁（１１ｄ）及び前記弁ケース（１５ａ）のうちいずれか一方（１５ａ）に設けられた凸部（１５ｅ，１５ｆ）と他方（１１ｄ）に設けられた凹部（１１ｍ，１１ｎ）とを有しており、該凸部（１５ｅ，１５ｆ）と前記凹部（１１ｍ，１１ｎ）との嵌合により前記弁ケース（１５ａ）が前記仕切壁（１１ｄ）に対して前記周方向に位置決めされる請求項４記載の電動コンプレッサ（１）。
【請求項６】
前記開口部（２１ｃ）は、前記回路ハウジング（１１ｂ）とは別体で前記吸入冷媒通路（１３）を構成する筒状部材（２１）の周面に形成されている請求項１又は２記載の電動コンプレッサ（１）。
【請求項７】
前記開口部２３ｃは、前記回路ハウジング（１１ｂ）とは別体で前記仕切壁（１１ｄ）の他方の面（１１ｅ）に固定され、該仕切壁（１１ｄ）と協働して前記吸入冷媒通路（１３）を構成する冷媒誘導カバー（２３）に形成されている請求項１又は２記載の電動コンプレッサ（１）。
【請求項８】
前記開口部（１１ｒ）は、前記回路ハウジング（１１ｂ）と一体に形成されて前記吸入冷媒通路（１３）における冷媒の流れ方向に延在し、前記仕切壁（１１ｄ）と協働して前記吸入冷媒通路（１３）を構成する冷媒誘導壁（１１ｐ）の終端に形成されており、前記冷媒誘導壁（１１ｐ）の前記開口部（１１ｒ）寄りの終端部分に、前記流れ方向に対して前記当接箇所（１１ｉ）に近づくように傾斜した傾斜部（１１ｑ）が設けられている請求項１記載の電動コンプレッサ（１）。
【発明の詳細な説明】
【技術分野】
【０００１】
本発明は、冷媒を圧縮する冷凍サイクル用のコンプレッサに係り、特に、電動モータを動力源とする電動コンプレッサに関する。
【背景技術】
【０００２】
冷凍サイクルに用いるコンプレッサは、低温低圧の冷媒を吸入し、圧縮により高温高圧とした冷媒を吐出する。コンプレッサの中には、冷媒の圧縮機構の動力源として電動モータを有する電動コンプレッサがあり、電動コンプレッサでは、インバータにより電源からの直流電力を交流に変換して電動モータに供給する駆動回路が設けられる。
【０００３】
インバータは、ＩＧＢＴ（Insulated Gate Bipolar Transistor 、絶縁ゲートバイポーラトランジスタ）やＭＯＳＦＥＴ（Metal Oxide Semiconductor Field Effect Transistor 、電界効果トランジスタ）等の電力用スイッチング素子を有している。
【０００４】
電力用スイッチング素子は、スイッチングの際の損失（スイッチング損失）によって発熱する。この発熱により電力用スイッチング素子の温度が耐熱温度を超えるまで上昇すると、電力用スイッチング素子が損傷してしまう。そこで、圧縮機構と駆動回路の各収容空間を仕切る壁の各面に沿って、低温低圧の吸入冷媒の流路と電力用スイッチング素子とをそれぞれ配置し、吸入冷媒によって仕切壁を介して電力用スイッチング素子を冷却することが従来から提案されている（例えば、特許文献１）。
【先行技術文献】
【特許文献】
【０００５】
【特許文献１】特開２００７−２２４８０９号公報
【発明の概要】
【発明が解決しようとする課題】
【０００６】
ところが、仕切壁を挟んで吸入冷媒の流路を電力用スイッチング素子の反対側に配置するだけでは、流路を流れる吸入冷媒により十分な冷却効率で電力用スイッチング素子を冷却できるとは限らず、電力用スイッチング素子を吸入冷媒によって確実かつ十分に冷却するためにさらなる工夫を施すことが望まれる。
【０００７】
本発明は前記事情に鑑みなされたもので、本発明の目的は、電力用スイッチング素子を吸入冷媒によって確実かつ十分に冷却することができる電動コンプレッサを提供することにある。
【課題を解決するための手段】
【０００８】
上記目的を達成するため、本発明の電動コンプレッサは、
冷媒を圧縮する圧縮機構と、
前記圧縮機構を駆動する電動モータと、
前記圧縮機構及び電動モータが収容された本体ハウジングと、
前記電動モータの駆動回路が収容され、仕切壁によって前記本体ハウジングと仕切られた回路ハウジングと、
前記回路ハウジングに露出する前記仕切壁の一方の面の当接箇所に当接された前記駆動回路の発熱部品と、
前記本体ハウジングに露出する前記仕切壁の他方の面に設けられ、前記本体ハウジングの外部から内部に吸入される冷媒が通過する吸入冷媒通路と、
前記吸入冷媒通路に形成され、通過する冷媒に前記当接箇所へ誘導する流れを発生させる開口部と、
を備える。
【発明の効果】
【０００９】
本発明によれば、電力用スイッチング素子を吸入冷媒によって確実かつ十分に冷却することができる。
【図面の簡単な説明】
【００１０】
【図１】本発明の第１実施形態に係る電動コンプレッサの概略構成を示す正断面図である。
【図２】図１の吸入冷媒通路付近の構成を示す要部拡大縦断面図である。
【図３】（ａ）は図１の吸入冷媒通路付近の別構成を示す要部拡大縦断面図、（ｂ）は同横断面図である。
【図４】図３（ｂ）の弁ケースの開口部に合わせて仕切壁に形成する薄肉部の別構成を示すインバータケースの一部切欠斜視図である。
【図５】（ａ）は図１の吸入冷媒通路付近の他の構成を示す要部拡大縦断面図、（ｂ）は（ａ）のＡ部の拡大断面図である。インバータケースの蓋部側から見た側面図である。
【図６】本発明の第２実施形態に係る電動コンプレッサの概略構成を示す正断面図である。
【図７】図６の吸入冷媒通路付近の構成を示す要部拡大縦断面図である。
【図８】本発明の第２実施形態の変形例に係る電動コンプレッサの概略構成を示す正断面図である。
【図９】図８の吸入冷媒通路付近の構成を示す要部拡大縦断面図である。
【図１０】本発明の第３実施形態に係る電動コンプレッサの概略構成を示す正断面図である。
【図１１】（ａ），（ｂ）は図１０の吸入冷媒通路を構成する冷媒誘導カバーを表側と裏側とからそれぞれ見た斜視図である。
【図１２】図１０の吸入冷媒通路付近の構成を示す要部拡大縦断面図である。
【図１３】本発明の第３実施形態の変形例に係る電動コンプレッサの概略構成を示す正断面図である。
【図１４】図１３の吸入冷媒通路付近の構成を示す要部拡大縦断面図である。
【図１５】本発明の第４実施形態に係る電動コンプレッサの概略構成を示す正断面図である。
【図１６】図１５の吸入冷媒通路付近の構成を示す要部拡大縦断面図である。
【図１７】（ａ），（ｂ）は本発明の第４実施形態の変形例に係る電動コンプレッサの吸入冷媒通路を冷媒誘導カバーと協働して構成するインバータケースを蓋部側と回路収容部側とからそれぞれ見た斜視図である。
【図１８】図１７（ａ）の吸入冷媒通路付近の構成を示す要部拡大縦断面図である。
【図１９】本発明の第４実施形態の他の変形例に係る電動コンプレッサの図１８のインバータケースを吸入冷媒通路が設けられた蓋部側から見た斜視図である。
【図２０】図１９の吸入冷媒通路付近の構成を示す要部拡大縦断面図である。
【発明を実施するための形態】
【００１１】
以下、本発明の実施形態について図面を参照しながら説明する。
【００１２】
図１は本発明の第１実施形態に係る電動コンプレッサの概略構成を示す正断面図、図２は図１の吸入冷媒通路付近の構成を示す要部拡大縦断面図である。図１に示す第１実施形態の電動コンプレッサ１は、圧縮機構３を電動モータ５で駆動して冷媒を圧縮するものである。
【００１３】
そして、図１に示すように、第１実施形態の電動コンプレッサ１は、圧縮機構３及び電動モータ５の他、これらが収容されるハウジング７（請求項中の本体ハウジングに相当）と、電動モータ５の駆動回路であるインバータ回路９（請求項中の駆動回路に相当）が収容されるインバータケース１１とを有している。
【００１４】
電動モータ５は、回転軸５ａに取り付けられたロータ５ｂと、ロータ５ｂの外側に配置されたステータ５ｃとを有している。ステータ５ｃは複数の極に対応したティース（図示せず）を有しており、各ティースにはコイル５ｄがそれぞれ巻回されている。電動モータ５は、各コイル５ｄに所定のパターンで電圧を印加することでステータ５ｃに回転磁界を発生させることで、ロータ５ｂを回転させる。
【００１５】
圧縮機構３は、一対のサイドブロック３ａ，３ｂと、これらによって挟持されたシリンダブロック３ｃと、シリンダブロック３ｃの内部に形成された楕円形のシリンダ室３ｄに収容した円柱状のロータ３ｅとを有している。ロータ３ｅは電動モータ５の回転軸５ａと一体に形成されており、ロータ３ｅの周面には、複数のベーン（図示せず）が出没可能に支持されている。
【００１６】
ロータ３ｅが電動モータ５によりシリンダ室３ｄ内で回転されると、ロータ３ｅの各ベーンがシリンダ室３ｄの内周面に倣って出没し、ロータ３ｅと隣り合う２つのベーンとシリンダ室３ｄとで構成される空間の容積が変化する。そして、空間の容積が増加する間に、サイドブロック３ａに形成した吸入口（図示せず）を通じて低圧の冷媒が吸入され、吸入された冷媒が、空間の容積の減少に伴い圧縮される。圧縮された高圧の冷媒は、サイドブロック３ｂに形成した吐出口（図示せず）から吐出される。
【００１７】
ハウジング７は、一端が閉塞された円筒状を呈している。このハウジング７には圧縮機構３が収容されており、収容された圧縮機構３によりハウジング７の内部は、サイドブロック３ｂが露出する閉塞側の密閉された吐出室７ａと、サイドブロック３ａが露出する開口側の吸入室７ｂとに仕切られている。吸入室７ｂには電動モータ５が収容されており、吸入室７ｂは、ハウジング７の開口７ｃに取り付けたインバータケース１１によって密閉されている。
【００１８】
インバータケース１１は、ハウジング７の開口７ｃを塞いで吸入室７ｂを密閉する蓋部１１ａと、蓋部１１ａが密閉した吸入室７ｂ（ハウジング７）の外側に配置されてインバータ回路９が収容される回路収容部１１ｂ（請求項中の回路ハウジングに相当）とを有している。
【００１９】
蓋部１１ａは、ハウジング７の開口７ｃを塞いだ状態でハウジング７の外部と吸入室７ｂと連通する吸入ポート１１ｃと、吸入室７ｂと回路収容部１１ｂとを仕切る仕切壁１１ｄとを有している。吸入ポート１１ｃは、電動コンプレッサ１の外部から吸入室７ｂに、圧縮機構３によって圧縮する低温低圧の冷媒を吸入するポートであり、仕切壁１１ｄの吸入室７ｂに露出する面１１ｅ（請求項中の他方の面に相当）に一体に形成されている。
【００２０】
回路収容部１１ｂは、仕切壁１１ｄを底部とする有底の筒状を呈している。回路収容部１１ｂに露出する仕切壁１１ｄの面１１ｆ（請求項中の一方の面に相当）には、インバータ回路９の回路基板９ａが固定される。回路収容部１１ｂは、その開口１１ｇに取り付けたキャップ１１ｈによって密閉される。
【００２１】
回路基板９ａには、インバータ回路９を構成するＩＧＢＴやＭＯＳＦＥＴ等の電力用スイッチング素子９ｂ、平滑フィルタ回路用のコンデンサ９ｃ及びコイル９ｄ等が実装されている。このうち、電力用スイッチング素子９ｂの筐体は、仕切壁１１ｄの面１１ｆの上部に位置する当接部１１ｉ（請求項中の当接箇所に相当）に面接触されている。また、コンデンサ９ｃ及びコイル９ｄの筐体も、面１１ｆの最寄りの箇所に近接して配置されているか当接されている。
【００２２】
仕切壁１１ｄの当接部１１ｉを設けた面１１ｆとは反対側の面１１ｅには、吸入冷媒通路１３が形成されている。吸入冷媒通路１３は、吸入ポート１１ｃを通過した電動コンプレッサ１の外部（例えば、冷凍サイクルの蒸発器）からの冷媒を、蓋部１１ａによって密閉された吸入室７ｂに導く通路である。
【００２３】
吸入冷媒通路１３は、逆止弁１５と接続部材１７とを有している。逆止弁１５は、吸入冷媒通路１３を電動コンプレッサ１の外部から吸入室７ｂに向けて冷媒が通過するのを許容し、吸入室７ｂから電動コンプレッサ１の外部に向けて吸入冷媒通路１３を冷媒が逆流するのを阻止するものである。接続部材１７は逆止弁１５を吸入ポート１１ｃに接続するものである。
【００２４】
逆止弁１５は、図２に示すように、両端が開放された筒状の弁ケース１５ａと、弁ケース１５ａ内に収容された弁体１５ｂとを有している。弁ケース１５ａの一端（上端）は筒状の接続部材１７により吸入ポート１１ｃに接続されており、弁ケース１５ａの他端（下端）は、仕切壁１１ｄ内を貫通する吸入室連通路１１ｊを介して吸入室７ｂと連通している。
【００２５】
弁体１５ｂは、弁ケース１５ａの両端方向（上下方向）に移動可能に構成されており、弁体１５ｂの下方に配置されたコイルスプリング１５ｃの弾発力により弁ケース１５ａの上端側に付勢されている。弁体１５ｂが弁ケース１５ａ内を最も上端側に移動すると、接続部材１７に弁体１５ｂが当接して弁ケース１５ａが塞がれる。
【００２６】
また、弁ケース１５ａの周面には、弁ケース１５ａの内部と外部（吸入室７ｂ）とを連通させる開口部１５ｄが形成されている。この開口部１５ｄは、弁体１５ｂが弁ケース１５ａの下端側に位置しているときに、弁体１５ｂよりも上方に位置して吸入ポート１１ｃを吸入室７ｂと連通させる。一方、弁体１５ｂが接続部材１７に当接して弁ケース１５ａを塞いでいるときには、弁ケース１５ａの弁体１５ｂよりも下方の内部空間を吸入室７ｂと連通させる。
【００２７】
なお、仕切壁１１ｄの電力用スイッチング素子９ｂが当接する当接部１１ｉの大きさ等に応じて、図３（ａ）の要部拡大縦断面図に示すように、逆止弁１５の弁ケース１５ａや開口部１５ｄの長さを短くしてもよい。
【００２８】
このように構成された逆止弁１５は、電動コンプレッサ１の動作中に、吸入ポート１１ｃから吸入される冷媒の圧力によって、弁体１５ｂが接続部材１７から離間しコイルスプリング１５ｃの付勢力に抗して開口部１５ｄよりも下方に移動することで開弁される。開弁した逆止弁１５は、吸入ポート１１ｃから吸入冷媒通路１３に流入した冷媒が出口１３ａから吸入室７ｂに流入するのを許容する。
【００２９】
また、逆止弁１５は、電動コンプレッサ１が停止して、圧縮機構３を介して吐出室７ａから逆流した冷媒により吸入室７ｂの冷媒圧力が上昇し、吸入室７ｂから吸入室連通路１１ｊを介して弁ケース１５ａの下端に導入される吸入室７ｂの冷媒の圧力が、吸入ポート１１ｃから弁ケース１５ａの上端に導入される冷媒の圧力を上回ることで閉弁される。逆止弁１５が閉弁すると、弁体１５ｂが弁ケース１５ａの上端に移動して接続部材１７に当接し、開口部１５ｄを介して弁ケース１５ａの内部に流入した吸入室７ｂの冷媒は、弁体１５ａによりせき止められて吸入ポート１１ｃ側への逆流が阻止される。
【００３０】
なお、図２や図３（ａ）に示した弁ケース１５ａの開口部１５ｄは、弁ケース１５ａの周面のうち仕切壁１１ｄ側の部分に形成されている。図３（ｂ）の要部拡大横断面図に示す例では、仕切壁１１ｄの面１１ｅにおける当接部１１ｉの裏側に位置する箇所に形成された、仕切壁１１ｄを薄肉にするための２つの薄肉部１１ｋ，１１ｋに向けてそれぞれ開放された２つの開口部１５ｄ，１５ｄが、弁ケース１５ａの周面にそれぞれ形成されている。
【００３１】
また、弁ケース１５ａの各開口部１５ｄ間の部分を、仕切壁１１ｄの面１１ｅにおける各薄肉部１１ｋ間のリブ１１ｌに当接させて固定することで、開口部１５ｄが薄肉部１１ｋに露出する位置で弁ケース１５ａを仕切壁１１ｄに取り付けることができる。
【００３２】
さらに、仕切壁１１ｄの各薄肉部１１ｋは、必ずしも、弁ケース１５ａの上下方向の全長に亘る長さで仕切壁１１ｄの面１１ｅに形成する必要はない。即ち、開口部１５ｄを通過して弁ケース１５ａの外部に流出した冷媒が吸入室７ｂに向かう流路を確保することができさえすれば、例えば、図４の一部切欠斜視図に示すインバータケース１１のような、開口部１５ｄの上下方向の全長に亘る長さ等、もっと短い長さで薄肉部１１ｋを形成してもよい。
【００３３】
また、開口部１５ｄが薄肉部１１ｋに露出するように弁ケース１５ａを仕切壁１１ｄの面１１ｅに対して弁ケース１５ａの周方向に位置決めするために、弁ケース１５ａの周面の一部に、図３（ｂ）に示すような角部１５ｅ（請求項中の位置決め部、凸部に相当）を形成してもよい。
【００３４】
この場合、仕切壁１１ｄの面１１ｅには、弁ケース１５ａの周面の外形に合わせた円弧面を有する保持部（図示せず）が設けられ、この保持部の角部１５ｅに対応する部分には、円弧面よりも凹ませて形成した対向する２つの平面からなる嵌合部１１ｍ，１１ｍ（請求項中の位置決め部、凹部に相当）が形成される。そして、各嵌合部１１ｍに各角部１５ｅの一側面を当接させて角部１５ｅを嵌合部１１ｍに嵌合させることで、弁ケース１５ａが仕切壁１１ｄの面１１ｅに対して周方向に位置決めされる。
【００３５】
したがって、図３（ａ），（ｂ）に示す構成では、弁ケース１５ａの角部１５ｅと仕切壁１１ｄの嵌合部１１ｍとで、弁ケース１５ａを仕切壁１１ｄの面１１ｅに対して弁ケース１５ａの周方向に位置決めす位置決め部１９が構成される。
【００３６】
あるいは、図５（ａ）の要部拡大縦断面図に示すように、吸入冷媒通路１３の下部に、弁ケース１５ａを仕切壁１１ｄの面１１ｅに対して弁ケース１５ａの周方向に位置決めする位置決め部１９を設けてもよい。この位置決め部１９は、図５（ａ）のＡ部を拡大して示す図５（ｂ）の拡大断面図に示すように、弁ケース１５ａの下端に形成した突起１５ｆ（請求項中の位置決め部、凸部に相当）と、仕切壁１１ｄの面１１ｅに形成されて突起１５ｆが嵌合する嵌合孔１１ｎ（請求項中の位置決め部、凹部に相当）とで構成することができる。勿論、嵌合孔を弁ケース１５ａの下端に形成し、突起を仕切壁１１ｄの面１１ｅに形成してもよい。
【００３７】
このように構成された吸入冷媒通路１３を有する第１実施形態の電動コンプレッサ１によれば、インバータケース１１の回路収容部１１ｂに露出する仕切壁１１ｄの面１１ｆの当接部１１ｉに電力用スイッチング素子９ｂを当接させ、仕切壁１１ｄの面１１ｅにおける当接部１１ｉの裏側箇所に、吸入ポート１１ｃからの吸入冷媒が通過する吸入冷媒通路１３を設けた。
【００３８】
そして、吸入冷媒通路１３の逆止弁１５の筒状の弁ケース１５ａの周面に、仕切壁１１ｄの面１１ｅにおける当接部１１ｉの裏側箇所に形成した薄肉部１１ｋに向けて開口部１５ｄを形成した。
【００３９】
このため、逆止弁１５の開弁時に吸入ポート１１ｃから弁ケース１５ａに流入して開口部１５ｄを通過した吸入冷媒が、仕切壁１１ｄの面１１ｅの薄肉部１１ｋに吹き付けられるようになる。よって、吸入ポート１１ｃから吸入された冷媒を、電力用スイッチング素子９ｂが当接された当接部１１ｉの裏側箇所である仕切壁１１ｄの面１１ｅの薄肉部１１ｋに沿って確実に通過させ、仕切壁１１ｄを介して電力用スイッチング素子９ｂを吸入冷媒によって確実かつ十分に冷却することができる。
【００４０】
なお、弁ケース１５ａを仕切壁１１ｄの面１１ｅに対して弁ケース１５ａの周方向に位置決めする位置決め部１９（図３（ｂ）及び図５（ａ），（ｂ）参照）は、省略してもよい。
【００４１】
また、上述した実施形態では、仕切壁１１ｄの面１１ｅの開口部１５ｄに対向する箇所に薄肉部１１ｋを形成したので、開口部１５ｄを通過した吸入冷媒を吸入室７ｂに流入させるための通路を薄肉部１１ｋの存在により確保しやすくすることができる。但し、例えば仕切壁１１ｄの面１１ｅと吸入冷媒通路１３との隙間等によって、開口部１５ｄを通過した吸入冷媒を吸入室７ｂに流入させるための通路を確保することができるならば、薄肉部１１ｋを省略してもよい。
【００４２】
さらに、上述した実施形態では、吸入冷媒通路１３が逆止弁１５を有しており、逆止弁１５の弁ケース１５ａが開口部１５ｄを有しているものとした。しかし、例えば、吸入冷媒通路１３を筒状部材のみで構成し、その筒状部材の周面に、仕切壁１１ｄの面１１ｅにおける当接部１１ｉの裏側箇所に向けて開口部を形成する構成としてもよい。
【００４３】
以下、そのように構成した本発明の第２及び第３実施形態やそれらの変形例に係る電動コンプレッサを、図面を参照して説明する。
【００４４】
まず、図６は本発明の第２実施形態に係る電動コンプレッサの概略構成を示す正断面図、図７は図６の吸入冷媒通路付近の構成を示す要部拡大縦断面図である。図６に示す第２実施形態の電動コンプレッサ１Ａは、吸入冷媒通路１３の構成と、仕切壁１１ｄの面１１ｅにおける吸入冷媒通路１３を支持する部分の構造とを除いて、図１乃至図５を参照して説明した第１実施形態の電動コンプレッサ１と同様の構成を有している。
【００４５】
そして、第２実施形態の電動コンプレッサ１Ａの吸入冷媒通路１３は、筒状部材２１と接続部材１７とを有している。筒状部材２１は、図７に示すように、一端が開放された本体２１ａを有しており、本体２１ａの他端は筒状部材２１の中心軸に対して傾斜したテーパ面２１ｂによって塞がれている。本体２１ａの開放された一端（上端）は、筒状の接続部材１７により吸入ポート１１ｃに接続されている。本体２１ａの周面には、筒状部材２１の内部と外部（吸入室７ｂ）とを連通させる開口部２１ｃが形成されている。テーパ面２１ｂで塞がれた本体２１ａの他端（下端）は、仕切壁１１ｄの面１１ｅから突設された支持リブ１１ｏによって支持される。
【００４６】
本体２１ａの周面の開口部２１ｃは、図７中には現れていないが、図３（ｂ）に示す第１実施形態の電動コンプレッサ１の弁ケース１５ａの開口部１５ｄ，１５ｄと同様に、２つ設けられている。そして、各開口部２１ｃ間の周面部分は、図７に示すように筒状部材２１の他端（下端）を仕切壁１１ｄの支持リブ１１ｏによって支持させた状態で、図３（ｂ）に示す仕切壁１１ｄの面１１ｅにおける各薄肉部１１ｋ間のリブ１１ｌに当接される。
【００４７】
これにより、仕切壁１１ｄの面１１ｅにおける当接部１１ｉの裏側に位置する２つの薄肉部１１ｋ，１１ｋに向けて、図７に示す各開口部２１ｃがそれぞれ開放される向きに、筒状部材２１が仕切壁１１ｄの面１１ｅに対して位置決めされる。さらに、吸入ポート１１ｃから挿入した接続部材１７を本体２１ａの開放された一端に圧入することで、筒状部材２１が仕切壁１１ｄに対し上記の位置決め状態で固定される。
【００４８】
このように構成された第２実施形態の電動コンプレッサ１Ａでは、吸入ポート１１ｃから筒状部材２１の本体２１ａに流入した吸入冷媒が、テーパ面２１ｂによって各開口部２１ｃ側に誘導される。そして、各開口部２１ｃを通過した冷媒が、第１実施形態の電動コンプレッサ１における逆止弁１５の弁ケース１５ａの開口部１５ｄを通過した吸入冷媒と同様に、仕切壁１１ｄの面１１ｅの薄肉部１１ｋに吹き付けられるようになる。
【００４９】
よって、吸入ポート１１ｃから吸入された冷媒を、電力用スイッチング素子９ｂが当接された当接部１１ｉの裏側箇所である仕切壁１１ｄの面１１ｅの薄肉部１１ｋに沿って確実に通過させ、仕切壁１１ｄを介して電力用スイッチング素子９ｂを吸入冷媒によって確実かつ十分に冷却することができる。
【００５０】
なお、図８の正断面図や図９の要部拡大縦断面図に示す第２実施形態の変形例の電動コンプレッサ１Ａのように、吸入ポート１１ｃから筒状部材２１の本体２１ａに流入した冷媒の一部を、本体２１ａの底面２１ｄに形成したノズル２１ｅにより、仕切壁１１ｄの支持リブ１１ｏの下方に吹き出させるように構成してもよい。
【００５１】
そのように構成すれば、電力用スイッチング素子９ｂと共に、仕切壁１１ｄの面１１ｅのうち、仕切壁１１ｄの面１１ｆのコンデンサ９ｃやコイル９ｄを近接して配置しあるいは当接させた部分の裏側部分に、ノズル２１ｅからの冷媒を吹き付けさせて、冷媒によるコンデンサ９ｃやコイル９ｄの冷却効率も向上させることができる。
【００５２】
ちなみに、この変形例では、ノズル２１ｅの形成を容易にするために、本体２１ａの他端（下端）の底面２１ｄを、第２実施形態のテーパ面２１ｂではなく、筒状部材２１の中心軸に対して直交する平坦な面としている。そのように構成しても、開口部２１ｃを通過した冷媒を、仕切壁１１ｄの面１１ｅの薄肉部１１ｋに吹き付けられるようにすることができる。しかし、底面２１ｄを第２実施形態のテーパ面２１ｂのような傾斜面としてもよい。
【００５３】
次に、図１０は本発明の第３実施形態に係る電動コンプレッサの概略構成を示す正断面図、図１１（ａ），（ｂ）は図１０の吸入冷媒通路を構成する冷媒誘導カバーを表側と裏側とからそれぞれ見た斜視図、図１２は図１０の吸入冷媒通路付近の構成を示す要部拡大縦断面図である。
【００５４】
図１０に示す第３実施形態の電動コンプレッサ１Ｂは、吸入冷媒通路１３の構成と、仕切壁１１ｄの面１１ｅにおける吸入冷媒通路１３を支持する部分の構造とを除いて、図１乃至図５を参照して説明した第１実施形態の電動コンプレッサ１と同様の構成を有している。
【００５５】
そして、第３実施形態の電動コンプレッサ１Ｂの吸入冷媒通路１３は、冷媒誘導カバー２３を有している。冷媒誘導カバー２３は、図１１（ａ），（ｂ）に示すように、円筒状の端面のうち半円分の部分を切り欠いた接続部２３ａと、接続部２３ａに連なる内部空間を有するカバー本体２３ｂとを有している。カバー本体２３ｂは、内部空間と連通する開口部２３ｃを有している。
【００５６】
上述した冷媒誘導カバー２３は、カバー本体２３ｂの両側部に形成された取付フランジ２３ｄに挿通した不図示の取付ねじ（又はボルト）によって、仕切壁１１ｄの面１１ｅに取り付けられる。
【００５７】
面１１ｅに取り付けた状態で、冷媒誘導カバー２３の接続部２３ａは、図１２に示すように、吸入ポート１１ｃに接続される。また、カバー本体２３ｂは、開口部２３ｃが開口する開放端を図３（ｂ）に示す仕切壁１１ｄの面１１ｅのうち２つの薄肉部１１ｋ，１１ｋ間の部分に当接させた状態となる。したがって、カバー本体２３ｂの開口部２３ｃは、両薄肉部１１ｋ，１１ｋに跨がって各薄肉部１１ｋとそれぞれ対向する。
【００５８】
そして、第３実施形態の電動コンプレッサ１Ｂでは、冷媒誘導カバー２３が仕切壁１１ｄ（の面１１ｅ）と協働して、吸入ポート１１ｃに連通する吸入冷媒通路１３を構成する。なお、本実施形態の電動コンプレッサ１Ｂでは、冷媒誘導カバー２３を取付ねじ（又はボルト）によって仕切壁１１ｄの面１１ｅに取り付けることから、第２実施形態の電動コンプレッサ１Ａにおいて仕切壁１１ｄの面１１ｅに設けた支持リブ１１ｏは省略される。
【００５９】
このように構成された第３実施形態の電動コンプレッサ１Ｂでは、吸入ポート１１ｃから冷媒誘導カバー２３の接続部２３ａを介してカバー本体２３ｂに流入した吸入冷媒が、カバー本体２３ｂの内部空間において、接続部２３ａ以外の開口部分であるカバー本体２３ｂの開口部２３ｃ側に誘導される。そして、開口部２３ｃを通過した冷媒が、第１実施形態の電動コンプレッサ１における逆止弁１５の弁ケース１５ａの開口部１５ｄを通過した吸入冷媒と同様に、仕切壁１１ｄの面１１ｅの薄肉部１１ｋに吹き付けられるようになる。
【００６０】
よって、吸入ポート１１ｃから吸入された冷媒を、電力用スイッチング素子９ｂが当接された当接部１１ｉの裏側箇所である仕切壁１１ｄの面１１ｅの薄肉部１１ｋに沿って確実に通過させ、仕切壁１１ｄを介して電力用スイッチング素子９ｂを吸入冷媒によって確実かつ十分に冷却することができる。
【００６１】
なお、図１３の正断面図や図１４の要部拡大縦断面図に示す第３実施形態の変形例の電動コンプレッサ１Ｂのように、吸入ポート１１ｃから冷媒誘導カバー２３の接続部２３ａを介してカバー本体２３ｂの内部空間に流入した冷媒の一部を、カバー本体２３ｂに接続して仕切壁１１ｄの下方に向けたノズル２３ｅから吹き出させるように構成してもよい。
【００６２】
そのように構成すれば、電力用スイッチング素子９ｂと共に、仕切壁１１ｄの面１１ｅのうち、仕切壁１１ｄの面１１ｆのコンデンサ９ｃやコイル９ｄを近接して配置しあるいは当接させた部分の裏側部分に、ノズル２１ｅからの冷媒を吹き付けさせて、冷媒によるコンデンサ９ｃやコイル９ｄの冷却効率も向上させることができる。
【００６３】
以上に説明した各実施形態やその変形例の電動コンプレッサ１，１Ａ，１Ｂでは、吸入冷媒通路１３とその開口部とを、吸入ポート１１ｃに接続した別部品（逆止弁１５、筒状部材２１、冷媒誘導カバー２３）によって構成した。しかし、吸入ポート１１ｃに連なるインバータケース１１の蓋部１１ａに、吸入冷媒通路１３を構成する構造を設けるようにしてもよい。
【００６４】
以下、そのように構成した本発明の第４実施形態やその変形例に係る電動コンプレッサを、図面を参照して説明する。
【００６５】
まず、図１５は本発明の第４実施形態に係る電動コンプレッサの概略構成を示す正断面図、図１６は図１５の吸入冷媒通路付近の構成を示す要部拡大縦断面図である。図１５に示す第４実施形態の電動コンプレッサ１Ｃは、吸入冷媒通路１３の構成と、仕切壁１１ｄの面１１ｅにおける吸入冷媒通路１３を支持する部分の構造とを除いて、図１乃至図５を参照して説明した第１実施形態の電動コンプレッサ１と同様の構成を有している。
【００６６】
そして、第４実施形態の電動コンプレッサ１Ｃの吸入冷媒通路１３は、吸入ポート１１ｃに連なるようにインバータケース１１の蓋部１１ａに一体に形成されている。図１６に示すように、吸入冷媒通路１３は、仕切壁１１ｄに沿って吸入ポート１１ｃから蓋部１１ａの内側に延出する冷媒誘導壁１１ｐと、蓋部１１ａの内周面から最も離れた冷媒誘導壁１１ｐの終端部分に設けられた傾斜部１１ｑとを有している。
【００６７】
傾斜部１１ｑは自由端である終端（下端）に向かうにつれて仕切壁１１ｄの面１１ｅに近づく円弧状を呈している。傾斜部１１ｑの終端と仕切壁１１ｄの面１１ｅとの間には開口部１１ｒが形成されている。吸入冷媒通路１３の内部には、吸入ポート１１ｃから開口部１１ｒに向かう冷媒の流れが生じる。
【００６８】
このように構成された第４実施形態の電動コンプレッサ１Ｃでは、吸入ポート１１ｃから吸入冷媒通路１３の冷媒誘導カバー２３の冷媒誘導壁１１ｐと仕切壁１１ｄの面１１ｅとの間の空間に流入した吸入冷媒が、開口部１１ｒに向かって移動する。その際に、傾斜部１１ｑによって、仕切壁１１ｄの面１１ｆの電力用スイッチング素子９ｂを当接させた当接部１１ｉの裏側部分側に誘導される。
【００６９】
よって、吸入ポート１１ｃから吸入された冷媒を、電力用スイッチング素子９ｂが当接された当接部１１ｉの裏側箇所に沿って確実に通過させ、仕切壁１１ｄを介して電力用スイッチング素子９ｂを吸入冷媒によって確実かつ十分に冷却することができる。
【００７０】
なお、図１７（ａ）の斜視図に示す第４実施形態の変形例に係る電動コンプレッサのように、冷媒誘導壁１１ｑを円弧状とし、開口部１１ｒをＤカット形状として、冷媒誘導壁１１ｑと開口部１１ｒとの間を接続する傾斜部１１ｑを、冷媒誘導壁１１ｑを円弧の中心軸方向、即ち、吸入冷媒通路１３における冷媒の流れ方向に対して傾斜したテーパ面としてもよい。
【００７１】
そのように構成すると、図１７（ｂ）の斜視図に示す、仕切壁１１ｄの面１１ｆにおける電力用スイッチング素子９ｂが当接された当接部１１ｉの真裏に位置する、図１７（ａ）の仕切壁１１ｄの面１１ｅにおける凹んだ部分に、図１８の要部拡大縦断面図に示すように、開口部１１ｒを通過した冷媒が吹き付けられるようになる。
【００７２】
また、図１９の斜視図に示す第４実施形態の他の変形例に係る電動コンプレッサのように、先の変形例における吸入冷媒通路１３の傾斜部１１ｑを、冷媒誘導壁１１ｑを円弧の中心軸方向、即ち、吸入冷媒通路１３における冷媒の流れ方向に対して直交する平坦面による底面１１ｓに代えてもよい。
【００７３】
そのように構成しても、吸入冷媒通路１３を通過した冷媒が底面１１ｓに衝突して開口部１１ｒに迂回する冷媒の流れが生じて、開口部１１ｒを通過した冷媒が、仕切壁１１ｄの面１１ｅのうち電力用スイッチング素子９ｂが当接された当接部１１ｉの裏側箇所に吹き付けられるようになる。
【００７４】
したがって、どちらの変形例においても、吸入ポート１１ｃから吸入された冷媒を、仕切壁１１ｄの面１１ｅのうち電力用スイッチング素子９ｂが当接された当接部１１ｉの裏側箇所に沿って確実に通過させ、仕切壁１１ｄを介して電力用スイッチング素子９ｂを吸入冷媒によって確実かつ十分に冷却することができる。
【産業上の利用可能性】
【００７５】
本発明は、冷媒の圧縮機構を電動モータで駆動する電動コンプレッサにおいて利用することができる。
【符号の説明】
【００７６】
１，１Ａ，１Ｂ，１Ｃ  電動コンプレッサ
３  圧縮機構
３ａ，３ｂ  サイドブロック
３ｃ  シリンダブロック
３ｄ  シリンダ室
３ｅ  ロータ
５  電動モータ
７  ハウジング（本体ハウジング）
７ａ  吐出室
７ｂ  吸入室
７ｃ  開口
９  インバータ回路（駆動回路）
９ａ  回路基板
９ｂ  電力用スイッチング素子
９ｃ  コンデンサ
９ｄ  コイル
１１  インバータケース
１１ａ  蓋部
１１ｂ  回路収容部（回路ハウジング）
１１ｃ  吸入ポート
１１ｄ  仕切壁
１１ｅ  仕切壁面（他方の面）
１１ｆ  仕切壁面（一方の面）
１１ｇ  回路収容部開口
１１ｈ  キャップ
１１ｉ  当接部（当接箇所）
１１ｊ  吸入室連通路
１１ｋ  薄肉部
１１ｌ  リブ
１１ｍ  嵌合部（位置決め部、凹部）
１１ｎ  嵌合孔（位置決め部、凹部）
１１ｏ  支持リブ
１１ｐ  冷媒誘導壁
１１ｑ  傾斜部
１３  吸入冷媒通路
１５  逆止弁
１５ａ  弁ケース
１５ｂ  弁体
１５ｃ  コイルスプリング
１１ｒ，１５ｄ，２１ｃ，２３ｃ  開口部
１５ｅ  角部（位置決め部、凸部）
１５ｆ  突起（位置決め部、凸部）
１７  接続部材
１９  位置決め部
２１  筒状部材
２１ａ  本体
２１ｂ  テーパ面
１１ｓ，２１ｄ  底面
２１ｅ，２３ｄ  ノズル
２３  冷媒誘導カバー
２３ａ  接続部
２３ｂ  カバー本体
【図１】
2017008922.tif 000003
【図２】
2017008922.tif 000004
【図３】
2017008922.tif 000005
【図４】
2017008922.tif 000006
【図５】
2017008922.tif 000007
【図６】
2017008922.tif 000008
【図７】
2017008922.tif 000009
【図８】
2017008922.tif 000010
【図９】
2017008922.tif 000011
【図１０】
2017008922.tif 000012
【図１１】
2017008922.tif 000013
【図１２】
2017008922.tif 000014
【図１３】
2017008922.tif 000015
【図１４】
2017008922.tif 000016
【図１５】
2017008922.tif 000017
【図１６】
2017008922.tif 000018
【図１７】
2017008922.tif 000019
【図１８】
2017008922.tif 000020
【図１９】
2017008922.tif 000021
【図２０】
2017008922.tif 000022